(57)【要約】【課題】本発明では、積層して壁面を形成することにより容易にログハウスなどを建築できるブロックを提供するものであって、雨水の浸入対策において、特に毛細管現象による雨水の浸入対策がさらに改善された構造の壁面を形成できる家屋等の壁面用のブロックを提供する。【解決手段】ブロック１の両端に鉤状の係合部２を設け、上面に段差を有する嵌合凸部３を設け、底面に他のブロックの該嵌合凸部３が嵌合する嵌合凹部４を設け、前記嵌合凸部３の上面に一辺側から他辺側に向けて傾斜した第一傾斜面３１を形成し、鉤状の係合部２に鉛直方向に系合凸部溝条４０を形成し、嵌合凸部３の上面の長手方向に上面溝条４１を形成し、嵌合凹部４の長手方向に底面溝条４２を形成し、第一傾斜面３１の側壁面３１ａ、３１ｂを曲面状に形成する。【選択図】        図１
2005180120.tif 000002
【特許請求の範囲】
【請求項１】
複数を積層することにより家屋等の壁面を形成するブロックであって、
その両端に設けられた鉤状の係合部と、上面に設けられ段差を有する嵌合凸部と、底面に設けられ他のブロックの該嵌合凸部が嵌合する嵌合凹部と、前記嵌合凸部の上面に一辺側から他辺側に向けて傾斜して形成された少なくとも一つの傾斜面とからなるブロックにおいて、
該ブロックに水抜き用の溝条を形成したことを特徴とする家屋等の壁面用のブロック。
【請求項２】
前記傾斜面の側壁面を曲面状に形成したことを特徴とする請求項１に記載の家屋等の壁面用のブロック。
【発明の詳細な説明】
【技術分野】
【０００１】
本発明は、複数を積層することにより家屋等の壁面を形成するブロックであって、特に木製のブロックに関するものである。
【背景技術】
【０００２】
木材を積層して、壁面を形成した建物は古くから校倉造やログハウスとして広い利用性を持っている。特に、近年はアウトドア志向からログハウスの需要は上昇傾向にある。このようなログハウスの利点は、自然な木目によるその外観、内観のみならず、壁面を形成する木材が呼吸をすることにより、室内を程よい湿度に保つことができるといった、新建材にない実質的なものも見逃すことができない。
丸太を使用した本来のログハウスは、均一性のある木材の調達や、木材の加工、設計と言った点において、個人が建設することは実質的に困難であり、専門の業者による建築に頼らざるを得ない。
【０００３】
そこで、本出願人は専門の業者でなくても、特殊な技術や機材を用いることなく、比較的簡単にログハウスを建築する目的で、特開平２−１７７１１号公報および特公平６−５０００７号公報において「木製ブロック」を、また、ＷＯ００／４３６０６国際公開公報において「家屋等の壁面用のブロック」示している。これは、長い木材を積層するのではなく、短いブロック状の木材を連結しながら積層することにより、長い角材を積層したのと同様の壁面を形成するものである。すなわち、ブロック両端の係止部で横方向を連結し、上下面の凹凸により上下の連結をし、上面の凸部に傾斜面を形成することにより、連結部分から浸透してきた雨水を排水するようにしたものである。特公平６−５０００７号公報に示したものは、ブロックの中心付近を境にして傾斜面を一方側と他方側の交互に形成し、ブロックを裏表の方向性を考慮せずに積層しても、係止部の連結面から浸入した雨水が外側に排水されるように設けた表裏可逆式のものである。従って、これらによると基礎上に立設されたボルトを頼りに、その上につみきを積み上げるが如く簡単な手作業で、風雨に強い壁面を容易に形成できる。
【０００４】
【特許文献１】特開平２−１７７１１号公報
【特許文献２】特公平６−５０００７号公報
【特許文献３】再表Ｏ００／４３６０６号公報
【発明の開示】
【発明が解決しようとする課題】
【０００５】
本発明もまた本出願人が上記で示したのと同様に、ブロック状の建材を積層することにより壁面を形成するものであるが、本発明では、雨水の浸入対策において、特に毛細管現象による雨水の浸入対策がさらに改善された構造の壁面を形成できる家屋等の壁面用のブロックを提供することを目的とするものである。
【課題を解決するための手段】
【０００６】
このため本発明では、複数を積層することにより家屋等の壁面を形成するブロックであって、その両端に設けられた鉤状の係合部と、上面に設けられ段差を有する嵌合凸部と、底面に設けられ他のブロックの該嵌合凸部が嵌合する嵌合凹部と、前記嵌合凸部の上面に一辺側から他辺側に向けて傾斜して形成された少なくとも一つの傾斜面とからなるブロックにおいて、該ブロックに水抜き用の溝条を形成したことを第１の特徴とする。
【０００７】
また、請求項１に記載の家屋等の壁面用のブロックにおいて、前記傾斜面の側壁面を曲面状に形成したことを第２の特徴とする。
【発明の効果】
【０００８】
本発明に係る家屋等の壁面用ブロックによれば、雨水の浸入対策において、ブロックの連結部分から浸透した雨水を、その構造において内壁面側に伝わるのを従来以上に防止できるという優れた効果を有する。
【発明を実施するための最良の形態】
【０００９】
以下、本発明を実施するための最良の形態を、図面に示す実施例に基づいて説明する。図１は、本実施例のブロックを斜め上方から見た斜視図あり、図２は、図１の平面図であり、図３は、図１の底面図であり、図４は、図１の右側面図であり、図５は、本実施例のブロックを鉛直方向に積層した状態を示す右側面図であり、図６は、本実施例のブロックを鉛直方向に積層した状態を示す斜視図である。
【実施例】
【００１０】
図１乃至図５に示すように、本実施例のブロック１は、その両端に設けられた鉤状の係合部２と、上面の両端方向で凸形状で段差をもって形成された嵌合凸部３と、底面に設けられ、下に位置する他のブロック１の嵌合凸部３が嵌合する嵌合凹部４と、複数のブロック１を積層する際に位置決めするための一対の挿通孔５とからなる。これにより、所望の位置で、縦方向および横方向において容易に連結することができる。
【００１１】
図１に示すこのブロック１の手前側を家屋等の外壁面側、ブロック１の奥側を内壁面側と定義した場合、ブロック１左端に形成された係合部２は、外壁面側から内壁面側へ凹んだ縦溝状の係合凹部２１と、その左端部方向で内壁面側から外壁面側へ折り返すように突出して形成された係合凸部２２とからなる。右端の係合部２は、左端の係合部２とは互いに反対向きに形成されている。このように形成されているので、係合凸部２２が隣接する他のブロック１の係合凹部２１に係合することにより、係合部２による横方向の連結がなされる。また、ブロック１両端の係合凸部２２の最外側の角部には、角部を鉛直方向に切削加工して、係合凸部溝条４０が形成されている。また、嵌合凸部３の上面両側端の角部には、角部を上面長手方向に切削加工して、上面溝条４１が形成されている。また、ブロック１の底面に形成された嵌合凹部４の両側の隅部には、それぞれ断面視凹状の底面溝条４２が、嵌合凹部４の長手方向に形成されている。
【００１２】
このように形成したので、ブロック１を積層した際に、これらの係合凸部溝条４０、上面溝条４１、底面溝状４２が、隣接するブロック間に水抜き用の空隙部４８を形成し、ブロック内壁側への雨水の毛細管現象による浸入を防ぐことができる。また、積層されたブロック壁面内部に空隙部が形成されるので、通風性も向上する。
【００１３】
また、嵌合凸部３の上面には、その略中央よりも右側では内壁面側（一辺側）から外壁側（他辺側）に向けて斜め下方に傾斜した第一傾斜面３１を設けると共に、左側では外壁面側（他辺側）から内壁面側（一辺側）に向けて傾斜め上方に斜した第二傾斜面３２が形成され、これらの傾斜面のさらに両端側には、それぞれの傾斜面より高い平坦面３３、３４が形成されると共に、第一傾斜面３１と第二傾斜面３２との間には、それぞれの傾斜面より高い中央平坦面３５が境界部分として形成されている。さらに、第一傾斜面３１の左右両端の側壁面３１ａ、３１ｂは、それぞれ曲面状に形成され、同様に、第二傾斜面３２の左右両端の側壁面３２ａ、３２ｂもそれぞれ曲面状に形成されている。曲面状に形成することで、浸入した雨水等が傾斜面の上方から下方に向かって、より流れやすくなり、排水性を向上させることができる。
【００１４】
また、ブロック１の外壁面側の右端および内壁面側左端には、それぞれ逆向きに壁面突出部４３が設けられ、また、ブロック１の外壁面側の左端および内壁面側右端には、それぞれ逆向きに壁面凹み部４４が設けられ、ブロックを積層した際に、壁面突出部４３と隣接するブロックの壁面凹み部４４が係合するように形成されている。ブロック１を横方向に連結する際に、この壁面突出部４３と隣接するブロック１の壁面凹み部４４とを系合させることで、隣接するブロック同士の前後方向の位置合わせがなされる。
【００１５】
係合部２、第一傾斜面３１、第二傾斜面３２は、中央平坦面３５を挟んで、完全に反対向きに形成されており、一辺側面と他辺側面すなわち外壁側と内壁側は、各図に示すように可逆形状である。従って、それぞれのブロック１を積層する際は、裏表を考慮することなく、単に係合部２同士を連結すればよい。
【００１６】
次に本実施例の作用について説明する。ここでは複数のブロックを識別するために、ブロックに１ａ〜１ｆの符号を付する。図６に示すように、複数のブロック１ａ〜１ｆを積層して壁面を形成するにあたっては、予め基礎面（図示せず）または土台（図示せず）からボルト６などの縦棒を鉛直に立設し、これをそれぞれの挿通孔５に挿通させながら積み上げることにより、所望した位置に容易に配置されるようにしている。前述したように横方向の連結は単純に隣接する各ブロックの係合部２同士を係合させることによってなされる。尚、積層したブロックの手前側を家屋等の外壁面側、奥側を内壁面側と定義する。
【００１７】
上積みするブロックの係合部２は、その下に位置する他のブロックの略中央に位置するようにボルト６により位置決めされる。すなわち、ボルト６をそれぞれのブロックの挿通孔５に挿通することにより、ブロック１ｃの左端側の係合部２の係合凹部２１と係合凸部２２との境界面２１ｃが丁度、その下のブロック１ｂの中央平坦面３５の略中央に位置する。一方、係合凹部２１の中央側の側面２１ａはその下に位置する第一傾斜面３１の範囲内にある。尚、ボルト６と挿通孔５との間の間隙、すなわち若干の遊びを考慮して、中央平坦面３５の幅は、この間隙より大きく形成されることが望ましい。
【００１８】
次に、雨水が浸入した際の排水について説明する。ブロックを積層して家屋等の壁面を構築した際に、雨水等が壁面内部に浸入するのは、隣接するブロック同士の上下、左右の連結部分からであるが、ブロックの上面に段差を有する嵌合凸部３が設けられていることや、横方向の連結を行う係合部２が鉤状に屈曲していることや、第一傾斜面３１が壁面外側から内側に向かって上り勾配になっていることなどから、雨水の大部分の浸入を防ぐことができる。しかし、前記連結部の非常に狭い間隙から毛細管現象によって雨水が壁面内部に侵入しようとすることがある。しかしながら、本発明では、ブロックの鉛直方向と長手方向とに、水抜き用の係合凸部溝条４０、上面溝条４１、底面溝条４２を形成し、ブロックを積層した際に、これらの溝条（４０、４１、４２）によって隣接するブロック間に空隙部が形成され、毛細管現象がここでシャットアウトされる。また、第一傾斜面３１、第二傾斜面３２の側壁面を曲面状に形成したことにより、傾斜面の側壁面の排水性を向上させることができる。
【００１９】
このように、本発明の目的は、雨水等がブロックの連結部分から毛細管現象によって内部に浸入することをシャットアウトする程度の溝条をブロックの適所に形成し、ブロックを積層した際に、それぞれの溝条で形成される空隙部によって雨水等の浸入を防ぐことにある。従って、底面溝条４２は、嵌合凹部４の略中央に長手方向に形成されてもよい。さらに、係合凸部溝条４０を、係合凸部２２の角部以外の場所に形成してもよい。この際、本実施例では、ブロックを裏表可逆とするために、ブロック１の対称な位置に形成する必要がある。
【００２０】
尚、上記したように本実施例のブロック１はその形状において裏表可逆に形成されており、第二傾斜面３２が外壁側に傾斜するように配置されても全く同様の雨水浸入防止効果を得られる。また、実施例の第二傾斜面３２を設けない表裏非可逆式のブロックにおいても、積層する際に、ブロックの方向が限定される（すなわち、第一傾斜面３１は、必ず壁面外側に向けなければならない）だけであり、雨水等の浸入防止効果については、上記実施例と全く同様である。
【００２１】
尚、本発明のブロックは、その材質において特に制限されるものではなく、木製は言うまでも無く、樹脂製、金属性、セラミック製などどのような材質でも形成できる。例えば、樹脂製においては知育玩具などに適用でき、耐燃焼性のセラミックやコンクリートでは焼却炉などを形成することにも応用できる。特に、本発明のブロックはその接合をブロック同士のかみ合わせと縦棒への挿通によって行うので、接合剤を特に用いることなく壁面を形成でき、その応用範囲は広い。
【産業上の利用可能性】
【００２２】
以上のように、本発明にかかるブロックは、積層することにより壁面を形成することができ、特に木製であっては容易にログハウスなどを建築できる。
【図面の簡単な説明】
【００２３】
【図１】本発明の実施例のブロックを斜め上方から見た斜視図である。
【図２】図１の平面図である。
【図３】図１の底面図である。
【図４】図１の右側面図である。
【図５】本実施例のブロックを鉛直方向に積層した状態を示す右側面図である。
【図６】本実施例のブロックを鉛直方向に積層した状態を示す斜視図である。
【符号の説明】
【００２４】
１、１ａ、１ｂ  ブロック
１ｃ、１ｄ      ブロック
１ｅ、１ｆ      ブロック
２              係合部
３              嵌合凸部
４              嵌合凹部
５              挿通孔
６              ボルト
２１              係合凹部
２２              係合凸部
３１              第一傾斜面
３１ａ、３１ｂ    第一傾斜面の側壁面
３２              第二傾斜面
３２ａ、３２ｂ    第二傾斜面の側壁面
３３、３４        平坦面
３５              中央平坦面
４０              係合凸部溝条
４１              上面溝条
４２              底面溝条
４３              壁面突出部
４４              壁面凹み部
４８              空隙部
【図１】
2005180120.tif 000003
【図２】
2005180120.tif 000004
【図３】
2005180120.tif 000005
【図４】
2005180120.tif 000006
【図５】
2005180120.tif 000007
【図６】
2005180120.tif 000008